(57)【要約】【課題】  容易に作業灯の照射方向を変更することが可能であり、夜間や暗所での作業において、照射方向を変更させることで死角を無くすることができるフォークリフトを提供することを目的とする。【解決手段】  作業灯１と、作業灯１と連結されて作業灯１の照射方向を工具を使用せずに変更させる方向調整手段２と、を具備する。方向調整手段２は、フォークリフト本体３に取着させた固定座部材４と、作業灯１と連結される操作アーム部材５と、を有する。操作アーム部材５は、作業灯１の照射方向を変更可能とさせるよう固定座部材４にて首振り自在に支持されかつ端部側に取手操作部６を有するものである。【選択図】    図２
2005206260.tif 000002
【特許請求の範囲】
【請求項１】
作業灯（１）と、該作業灯（１）と連結されて該作業灯（１）の照射方向を工具を使用せずに変更させる方向調整手段（２）と、を具備したことを特徴とするフォークリフト。
【請求項２】
上記方向調整手段（２）は、フォークリフト本体（３）に取着させた固定座部材（４）と、上記作業灯（１）と連結されると共に該作業灯（１）の照射方向を変更可能とさせるよう該固定座部材（４）にて首振り自在に支持されかつ端部側に取手操作部（６）を有する操作アーム部材（５）と、を備えた請求項１記載のフォークリフト。
【請求項３】
上記固定座部材（４）の支持座部（７）と上記操作アーム部材（５）の被支持部（８）とでもって球面継手（９）が構成され、該支持座部（７）は該被支持部（８）を摺接抵抗を持って支持する請求項２記載のフォークリフト。
【請求項４】
上記方向調整手段（２）は、フォークリフト本体（３）に固定されると共に上記作業灯（１）の照射方向を変更可能に支持する支持部材（10）と、該作業灯（１）と連結されかつ作業灯設置位置（11）から運転席操作パネル部（16）乃至その近傍部の手元操作位置（12）まで布設されて該手元操作位置（12）における操作に応じて該作業灯設置位置（11）の上記作業灯（１）を方向変更動作させる作動手段（43）と、を備えた請求項１記載のフォークリフト。
【請求項５】
上記方向調整手段（２）は、フォークリフト本体（３）に取着させた球面状の支持座部（７）を有する固定座部材（４）と、上記作業灯（１）を連結すると共に該作業灯（１）の照射方向を変更可能とさせるよう該支持座部（７）にて首振り自在に支持される球面継手用ステー（44）と、該ステー（44）に形成したネジ孔（45）に螺合すると共に先端（46ａ）が上記支持座部（７）に当接して該ステー（44）を該固定座部材（４）に対して位置保持させかつ後端（46ｂ）が取手操作部（６）とされたロックボルト（46）と、を備えた請求項１記載のフォークリフト。
【請求項６】
上記方向調整手段（２）は、フォークリフト本体（３）に取着されると共に上記作業灯（１）を取着して鉛直軸心廻りに360 °照射方向を変更可能とさせる回転支持部材（47）を有し、該作業灯（１）は運転席に座った状態で手の届く範囲に配設され、該回転支持部材（47）により、該作業灯（１）が前方に向けられて前照灯、後方に向けられて後照灯に切り換え自在とされた請求項１記載のフォークリフト。
【発明の詳細な説明】
【技術分野】
【０００１】
本発明は、フォークリフトに関するものである。
【背景技術】
【０００２】
重量のある荷物や工業製品を製品ヤードや倉庫内等において搬送、荷積み作業を行う作業用車両として、フォークリフトが一般的に使用されている（例えば、特許文献１参照）。
【特許文献１】特開２００２−８０１９５号公報
【発明の開示】
【発明が解決しようとする課題】
【０００３】
フォークリフトは、その構造及び機能の特殊性から、フォークリフト本体の高い位置に、作業灯が一定方向に向けられて固着されている。つまり、フォークリフトは車両本体の前方部のフォークにおいて荷物等を積んで昇降させる構成であるため、フォークリフトの作業灯は、その荷物等によって照射方向が影になりにくくなるよう高い位置に設けられている。
具体的には、フォークリフトの運転席上方のヘッドガードや、ヘッドガードの支柱の上端部に、作業灯がボルトナット等の半永久的締結手段により固着されている。このため、簡単に作業灯の向きを変更することができない。
【０００４】
従って、常時（走行時、及び、荷物持ち上げ等の作業時においても）、作業灯の照射方向は一定であり、特に夜間や暗所での作業の場合は、照射範囲は一定箇所でかつ一部分で狭く、光の照らされない死角が広いため作業が危険であるという問題点がある。
また、作業灯は、前照灯以外にも、フォークリフトの後方を照らす後部作業灯においてもフォークリフト本体に固着されており、方向を変更することが不可能とされていた。
【課題を解決するための手段】
【０００５】
本発明に係るフォークリフトは、作業灯と、該作業灯と連結されて該作業灯の照射方向を工具を使用せずに変更させる方向調整手段と、を具備したものである。
また、上記方向調整手段は、フォークリフト本体に取着させた固定座部材と、上記作業灯と連結されると共に該作業灯の照射方向を変更可能とさせるよう該固定座部材にて首振り自在に支持されかつ端部側に取手操作部を有する操作アーム部材と、を備えたものである。
また、上記固定座部材の支持座部と上記操作アーム部材の被支持部とでもって球面継手が構成され、該支持座部は該被支持部を摺接抵抗を持って支持する。
【０００６】
また、上記方向調整手段は、フォークリフト本体に固定されると共に上記作業灯の照射方向を変更可能に支持する支持部材と、該作業灯と連結されかつ作業灯設置位置から運転席操作パネル部乃至その近傍部の手元操作位置まで布設されて該手元操作位置における操作に応じて該作業灯設置位置の上記作業灯を方向変更動作させる作動手段と、を備えたものである。
或いは、上記方向調整手段は、フォークリフト本体に取着させた球面状の支持座部を有する固定座部材と、上記作業灯を連結すると共に該作業灯の照射方向を変更可能とさせるよう該支持座部にて首振り自在に支持される球面継手用ステーと、該ステーに形成したネジ孔に螺合すると共に先端が上記支持座部に当接して該ステーを該固定座部材に対して位置保持させかつ後端が取手操作部とされたロックボルトと、を備えたものである。
或いは、上記方向調整手段は、フォークリフト本体に取着されると共に上記作業灯を取着して鉛直軸心廻りに360 °照射方向を変更可能とさせる回転支持部材を有し、該作業灯は運転席に座った状態で手の届く範囲に配設され、該回転支持部材により、該作業灯が前方に向けられて前照灯、後方に向けられて後照灯に切り換え自在とされたものである。
【発明の効果】
【０００７】
本発明のフォークリフトによれば、運転席側から容易に作業灯の照射方向を変更することが可能となる。
特に夜間や暗所での作業において、走行時は作業灯を上（正面）向けて遠くを照射でき、荷物持ち上げ等の作業時は作業灯を下向けて近くを照射でき、作業状態に応じて、光の照らされない死角を無くすることが可能となる。
また、簡単な構成であるため、大きな設置スペースが不要であり、運転及び作業に際し邪魔になることがない。
さらに、フォークリフトの運転席に座った状態でも、直接手の届かない高さ位置に設置された作業灯の照射方向の変更が可能となり、また、フォークリフトにより荷物の搬送作業中（フォークリフトの運転中）において、作業灯の方向変更ができる。
【発明を実施するための最良の形態】
【０００８】
本発明に係るフォークリフトは、荷物や工業製品等の物品を搬送・荷積み作業等する特殊車両であり、図１は、そのフォークリフトの全体側面図である。
このフォークリフトは、作業灯１（作業ライトとも言う）と、作業灯１と連結されて作業灯１の照射方向を工具を使用せずに変更させる方向調整手段２と、を具備したものである。
作業灯１は、一般的に使用されるライト（投光器）であり、内部の発光部と、外装部とを有し、外装部の前面はガラス等のカバー部とされている。
【０００９】
また、フォークリフトは、車両本体の前方部のフォーク19において荷物等を積んで昇降、搬送する車両であるため、作業灯１は、その荷物によって照射方向が影となりにくくなるよう、フォークリフトの高い位置である作業灯設置位置11に設けられている。
図１に示す作業灯１は、運転席上部のヘッドガード18の支柱17の上部に配設されているが、作業灯１をヘッドガード18に直接設けてもよい（図示省略）。
【００１０】
また、図１において支柱17は、車両の前部左右両側に配設されており、作業灯１（前照灯）は左右両側に夫々設けられている。さらに、本発明のフォークリフトが有する作業灯１は、車両の前方を照らす前照灯（ヘッドライト）１ａのみならず、車両の後方を照らす後部灯（後照灯、テールライト）１ｂにおいても適用できる。
なお、本発明でいう左方向、右方向とは、車両の進行方向に向かって横方向であり、左手側、右手側としている。
【００１１】
そして、図２の側面図と図３の平面図においては、フォークリフトは、作業灯１と、方向調整手段２と、を具備し、方向調整手段２は、フォークリフト本体３に取着させた固定座部材４と、作業灯１と連結される操作アーム部材５と、を備える。
操作アーム部材５は、作業灯１の照射方向を変更可能とさせるよう固定座部材４にて首振り自在に支持され、かつ端部側に取手操作部６を有するものである。
【００１２】
固定座部材４は、フォークリフト本体３（支柱17）に固着されたベース板22に立設状とされている。そして、この固定座部材４の支持座部７にて、操作アーム部材５の被支持部８が、支持されている。
取手操作部６は、直線状の操作アーム部材５に沿った形状である直線棒状（レバー式）としているが、これ以外に、図示省略するが、湾曲棒状や、円形ハンドル形状としてもよい。
【００１３】
図２と図３を具体的に説明すると、直線状の操作アーム部材５の途中部に被支持部８が設けられ、被支持部８は操作アーム部材５の棒状の本体部21ａ，21ｂより膨出（拡大）した球状部である。
また、固定座部材４の支持座部７は、球状内空室部を有する中空形状（中空殻形状）であり、その前部後部の夫々に貫通状の円形窓部20ａ，20ｂが形成されている。そして、被支持部８が支持座部７に装着された状態で、球状の被支持部８が、支持座部７の球状内空室部の内周面に密着状となるよう勘合し、支持座部７の円形窓部20ａ，20ｂから操作アーム部材５の棒状の本体部21ａ，21ｂが夫々突出して前方後方に延伸している。
【００１４】
これにより、取手操作部６を握って操作アーム部材５の向きを上下左右等へ変えると、それに応じて、図２と図３の矢印に示すように、作業灯１は首を振り、照射方向を変更させる。従って、作業灯１を上下方向及び左右方向さらに斜め方向に向けることが可能となり、前後方向の水平軸心Ｃ2 を中心として360 °首振り回転自在で、かつ、その首振り角度も任意に設定できる。
【００１５】
また、運転室内部から見て、作業灯１を支柱17よりも外方に設けても、操作アーム部材５の取手操作部６を支柱17よりも内方である運転室内部に配置し、さらに、取手操作部６を運転者方向に向けることで、運転室内部において作業灯１の方向変更操作が容易となる。
また、図示省略するが、他の実施の形態として、固定座部材４の支持座部７を球状とし、操作アーム部材５の被支持部８を、球状の支持座部７に外嵌密着する中空形状としてもよい。
【００１６】
つまり、固定座部材４の支持座部７と操作アーム部材５の被支持部８とでもって球面継手９が構成され、支持座部７は被支持部８を摺接抵抗を持って支持していると言える。
従って、取手操作部６の動作で動かせる程度に締めつけられており、作業灯１の姿勢（角度）を維持させるための止めネジやストッパが別途不要であり、作業灯１を摩擦抵抗にて姿勢保持させる球面継手９であると言える。
【００１７】
次に、図４の平面図に示す実施の形態においては、フォークリフトは、作業灯１と、方向調整手段２と、を具備し、方向調整手段２は、フォークリフト本体３（図１）に取着させたボックス状の固定座部材４と、作業灯１と連結されると共に、固定座部材４の軸受け部材23ａ，23ｂにて回転自在（軸心廻りに首振り自在）に支持される操作アーム部材５と、を備えている。
つまり、操作アーム部材５は、作業灯１の照射方向を変更可能とさせる回転シャフトとして機能する。
【００１８】
さらに具体的に説明すると、作業灯１に左右方向の水平軸心Ｃ1 を軸心とする第１シャフト24の一端部が接続され、その他端部に第１傘歯車25が接続されている。そして、第１傘歯車25に噛合する第２傘歯車27が第２シャフト26の一端部に接続され、その他端部に回転ハンドルである取手操作部６が接続されている。そして、この第１と第２のシャフト24，26及び第１と第２の傘歯車25，27とでもって、軸心方向が（90°）変更される操作アーム部材５を構成する。
【００１９】
従って、図４の操作アーム部材５は作業灯１と連結され、端部側の取手操作部６を回転させることで操作アーム部材５が回転し、作業灯１を左右方向の水平軸心Ｃ1 廻りに揺動させ、作業灯１を上下照射方向変更可能（上下に首振り自在）とさせることができる。
また、作業灯１及び操作アーム部材５の全体を、図４の紙面方向である鉛直軸心Ｃ3 廻りに揺動可能となるよう構成して、作業灯１をさらに、左右方向に首振り自在としてもよい。
また、図４においても、図２と図３の場合と同様に、取手操作部６をフォークリフトの運転室の内部に位置させるのが好ましい。
【００２０】
さらに、図５の側面図と図６の平面図に示す実施の形態においては、フォークリフトは、作業灯１と、方向調整手段２と、を具備し、方向調整手段２は、フォークリフト本体３（図８）に固定されると共に作業灯１の照射方向を変更可能に支持する支持部材10と、作業灯１と連結され、かつ、作業灯設置位置11から運転席操作パネル部16（図８）乃至その近傍部の手元操作位置12まで布設される作動手段43（プッシュプルワイヤ13）と、を備える。
そして、作動手段43（プッシュプルワイヤ13）は、手元操作位置12におけるレバー操作に応じて（連繋して）、作業灯設置位置11の作業灯１を方向変更動作させるよう構成されたものである。
【００２１】
作業灯１は、フォークリフト本体３（図８）に固着された板状の支持部材10に対して、上下方向及び左右方向に揺動可能に枢着されている。つまり、作業灯１は、作業灯１が正面を向いた状態で左右方向の水平軸心Ｃ1 廻りに揺動可能であり、かつ、鉛直軸心Ｃ3 廻りに揺動可能である。
【００２２】
具体的な構成を説明すると、支持部材10に可動板28が鉛直軸心Ｃ3 廻りに揺動可能に枢着され、可動板28には立設状の一対の支持アーム29，29が形成されている。そして、この支持アーム29，29に、作業灯１の後部に基端部が固着された揺動軸部材30の中間部が、作業灯１が正面を向いた状態で左右方向の水平軸心Ｃ1 廻りに揺動可能に枢着されている。
【００２３】
そして、図５に示すように、揺動軸部材30の先端部に、第１プッシュプルワイヤ13ａの一端部が取着され、ワイヤ13ａの他端部が、手元操作位置12における第１レバー31の端部と接続されている。さらに、図６に示すように、可動板28の後部において、第２プッシュプルワイヤ13ｂの一端部が取着され、ワイヤ13ｂの他端部が、手元操作位置12における第２レバー32の端部と接続されている。
第１レバー31及び第２レバー32は、相互隣接して運転席操作パネル部16（図８）乃至その近傍部に、その中間部を揺動中心として揺動可能に設けられている。
【００２４】
従って、図５において、第１レバー31を操作することで、第１プッシュプルワイヤ13ａを介して、作業灯１は、上下に首振りすることができる。また、図６において、第２レバー32を操作することで、第２プッシュプルワイヤ13ｂを介して、作業灯１は、左右に首振りすることができる。
【００２５】
また、図７の概略側面図に示す実施の形態においては、方向調整手段２は、作業灯１を首振り駆動させるモータドライブ機構14と、モータドライブ機構14の動作を制御する制御スイッチ部15と、を備える。作業灯１は、モータドライブ機構14を介して支持部材10に支持している。
モータドライブ機構14は、作業灯１と連結され駆動して照射方向を変更させるものであり、制御スイッチ部15は、フォークリフトの運転席操作パネル部16（図８）乃至その近傍部に配設され、モータドライブ機構14の動作（運転）を制御するものである。
【００２６】
具体的に説明すると、モータドライブ機構14は、作業灯１の後部に接続された支持バー33と、支持バー33と図外のシャフトを介して接続される水平方向を軸心とする第１歯車34と、第１歯車34と噛合する第２歯車35と、第２歯車35を回転駆動させる図外の第１モータと、を備え、第１モータの正逆回転により、第１歯車34を正逆回転させて支持バー33を上下揺動させ、作業灯１を上下首振りさせるよう構成されている。
【００２７】
さらに、支持バー33とシャフト36を介して接続される鉛直方向を軸心とする第３歯車37と、第３歯車37に噛合する第４歯車42と、第４歯車42を回転駆動させる第２モータ38と、を備え、第２モータ38の正逆回転により、第３歯車37を正逆回転させて支持バー33を左右揺動させ、作業灯を左右に首振りさせるよう構成されている。
【００２８】
一方、制御スイッチ部15は、例えば、上、下、左、右のボタン部を有する操作ボタン39と、操作ボタン39の操作に応じて上記第１モータ及び第２モータ38を動作させる制御部40と、を備え、運転者による操作ボタン39の操作に応じて、第１モータと第２モータ38とを回転駆動させるよう構成されている。これにより、作業灯１が上下左右と首振り動作可能となる。
【００２９】
また、作業灯設置位置11側に設けたモータドライブ機構14と、手元操作位置12側に設けた制御スイッチ部15とは、図７に示すように、電線ケーブル41にて有線接続としてもよく、また、図示省略するが、制御スイッチ部15に無線発信機を設け、モータドライブ機構14に無線受信機を設け、無線接続としてもよい。
【００３０】
また、図９の概略側面図に示す実施の形態においては、方向調整手段２は、フォークリフト本体３に取着させた球面状の支持座部７を有する固定座部材４と、作業灯１を連結するステー44とを備える。
固定座部材４は、フォークリフト本体３（支柱17）に固着されたベース板22に立設状とされており、先端部に膨出球体の支持座部７が形成されている。
ステー44は、作業灯１の照射方向を変更可能とさせるよう、球面状の支持座部７にて首振り自在に支持される球状内周面を有する球面継手用部材（ボールジョイント）であり、支持座部７上を摺動可能として外嵌している。
【００３１】
そして、この方向調整手段２は、ステー44に形成したネジ孔45に先端46ａ側が螺合するロックボルト46を備える。ロックボルト46は、ネジ孔45に螺合しその先端46ａが支持座部７に当接して（締めつけられた状態で）ステー44を固定座部材４に対して位置保持させている。また、ロックボルト46の後端46ｂは、取手操作部６とされており、取手操作部６の形状は円形のハンドル形状とされている。
つまり、ロックボルト46は方向変更ハンドル併用継手固定部材であると言え、作業灯１の向きを調整後、手にてロックボルト46を回転させて作業灯１を固定することができる。
【００３２】
さらに、図10の概略側面図に示す実施の形態においては、方向調整手段２は、フォークリフト本体３（ヘッドガード18の天井下面）に取着されると共に作業灯１を取着して鉛直軸心廻りに360 °照射方向を変更可能とさせる回転支持部材47を有する。
そして、作業灯１（及び回転支持部材47）は運転席に座った状態で手の届く範囲に配設されている。
【００３３】
回転支持部材47は、一端部に作業灯１を取着する水平状の第１部材48と、第１部材48の途中部に下端部が連結される鉛直状の第２部材49と、を有し、第２部材49の上端部がフォークリフトのヘッドガード18の天井下面に取付けられ、第１部材48が第２部材49に対して鉛直軸心廻りに回転自在とされている。
従って、回転支持部材47により、作業灯１が前方に向けられて前照灯、後方に向けられて後照灯に切り換え自在とされる。
【００３４】
以上のように、本発明によれば、作業灯１と、作業灯１と連結されて作業灯１の照射方向を工具を使用せずに変更させる方向調整手段２と、を具備したものであるため、特に夜間や暗所での作業において、走行時は作業灯１を上（正面）向けて遠くを照射でき、荷物持ち上げ等の作業時は作業灯１を下向けて近くを照射でき、作業状態に応じて、光の照らされない死角を無くすることが可能となる。
【００３５】
方向調整手段２は、フォークリフト本体３に取着させた固定座部材４と、作業灯１と連結されると共に作業灯１の照射方向を変更可能とさせるよう固定座部材４にて首振り自在に支持されかつ端部側に取手操作部６を有する操作アーム部材５と、を備えたものであるため、作業灯１の方向変更作業が容易となる。また、運転席側から容易に手動にて作業灯１の照射方向を変更することが可能となる。
作業灯１をふらつかせることなく、しっかりとフォークリフト本体３に固定でき、所望の方向に安定して作業灯１を向かせることができる。
簡単な構成であるため、大きな設置スペースが不要であり、運転及び作業に際し邪魔になることがない。
【００３６】
固定座部材４の支持座部７と操作アーム部材５の被支持部８とでもって球面継手９が構成され、支持座部７は被支持部８を摺接抵抗を持って支持するため、作業灯１は上下方向・左右方向・斜め方向とも自在に向き替えが可能となり、かつ、姿勢保持のための止めネジやストッパが不要である。
【００３７】
方向調整手段２は、フォークリフト本体３に固定されると共に作業灯１の照射方向を変更可能に支持する支持部材10と、作業灯１と連結されかつ作業灯設置位置11から運転席操作パネル部16乃至その近傍部の手元操作位置12まで布設されて手元操作位置12における操作に応じて作業灯設置位置11の作業灯１を方向変更動作させる作動手段43と、を備えたものであるため、フォークリフトの運転席に座った状態でも、直接手の届かない高さ位置に設置された作業灯１の照射方向の変更が可能となり、また、フォークリフトにより荷物の搬送作業中（フォークリフトの運転中）において、作業灯１の方向変更ができる。
【００３８】
方向調整手段２は、フォークリフト本体３に取着させた球面状の支持座部７を有する固定座部材４と、作業灯１を連結すると共に作業灯１の照射方向を変更可能とさせるよう支持座部７にて首振り自在に支持される球面継手用ステー44と、ステー44に形成したネジ孔45に螺合すると共に先端46ａが支持座部７に当接してステー44を固定座部材４に対して位置保持させかつ後端46ｂが取手操作部６とされたロックボルト46と、を備えたものであるため、作業灯１の方向変更作業が容易となる。また、運転席側から容易に手動にて作業灯１の照射方向を変更することが可能となる。
作業灯１をふらつかせることなく、しっかりとフォークリフト本体３に固定でき、所望の方向に安定して作業灯１を向かせることができる。
簡単な構成であるため、大きな設置スペースが不要であり、運転及び作業に際し邪魔になることがない。
【００３９】
また、方向調整手段２は、フォークリフト本体３に取着されると共に作業灯１を取着して鉛直軸心廻りに360 °照射方向を変更可能とさせる回転支持部材47を有し、作業灯１は運転席に座った状態で手の届く範囲に配設され、回転支持部材47により、作業灯１が前方に向けられて前照灯、後方に向けられて後照灯に切り換え自在とされたものであるため、１台の作業灯１により前方または後方を択一的に照らすことができ、機能的である。
【図面の簡単な説明】
【００４０】
【図１】本発明に係るフォークリフトの全体側面図である。
【図２】フォークリフトの要部を示す一部断面の側面図である。
【図３】図２の平面図である。
【図４】フォークリフトの他の実施の形態の要部を示す簡略平面図である。
【図５】フォークリフトの別の実施の形態の要部を示す簡略側面図である。
【図６】図５の平面図である。
【図７】フォークリフトのさらに別の実施の形態の要部を示す簡略側面図である。
【図８】フォークリフトの運転席部を示す側面図である。
【図９】フォークリフトのさらに別の実施の形態の要部を示す簡略側面図である。
【図１０】フォークリフトのさらに別の実施の形態示す簡略側面図である。
【符号の説明】
【００４１】
１  作業灯
２  方向調整手段
３  フォークリフト本体
４  固定座部材
５  操作アーム部材
６  取手操作部
７  支持座部
８  被支持部
９  球面継手
10  支持部材
11  作業灯設置位置
12  手元操作位置
14  モータドライブ機構
15  制御スイッチ部
16  運転席操作パネル部
43  作動手段
44  ステー
45  ネジ孔
46  ロックボルト
46ａ  先端
46ｂ  後端
47  回転支持部材
【図１】
2005206260.tif 000003
【図２】
2005206260.tif 000004
【図３】
2005206260.tif 000005
【図４】
2005206260.tif 000006
【図５】
2005206260.tif 000007
【図６】
2005206260.tif 000008
【図７】
2005206260.tif 000009
【図８】
2005206260.tif 000010
【図９】
2005206260.tif 000011
【図１０】
2005206260.tif 000012